(57)【要約】【課題】  本考案は、製造コストを下げることが可能なティシュペーパーケースを提供する。【解決手段】  短辺に熱接着の接着線１１が設けられると共に、長辺の上部に長手方向に割り線１３が設けられたビニール樹脂製の矩形状のケース本体１０と、前記ケース本体１０の内部に収容される広告ペーパー３０とティシュペーパー２０とを有し、前記広告ペーパー３０がティシュペーパー２０の外側を覆うようにしてケース本体１０内部に配設された構成とした。【選択図】  図１
0003114415.tif 000002
【実用新案登録請求の範囲】
【請求項１】
短辺に熱接着の接着線が設けられると共に、長辺の長手方向に延在する割り線が設けられたビニール樹脂製の矩形状のケース本体と、
前記ケース本体の内部に広告を印刷したペーパーとティシュペーパーとを収容し、
前記広告を印刷したペーパーがティシュペーパーの外側を覆うように配設されていることを特徴とするティシュペーパーケース。
【請求項２】
前記割り線は、該ケース本体の長辺側の上部に設けられることを特徴とする請求項１に記載のティシュペーパーケース。
【請求項３】
前記広告を印刷したペーパーの外側面が夫々ケース本体の正面側と背面側に配設されるようになっていることを特徴とする請求項１に記載のティシュペーパーケース。
【考案の詳細な説明】
【技術分野】
【０００１】
本考案は、特に、製造コストを下げることが可能なティシュペーパーケースに関するものである。
【背景技術】
【０００２】
図３に示すように、広告のために街頭で配布する従来のティシュペーパー入りのティシュペーパーケースは、ビニール樹脂製のケース本体５０を有し、該ケース本体５０の側面に開口５１が形成されることにより、使用者は該開口５１を介してケース本体５０内に収容するティシュペーパー６０を外側へ取り出して使用するようにしている。
【０００３】
そして、前記ケース本体５０の外側には広告等の装飾図形又は文字が印刷されたものが使用されている。又、該ケース本体５０はビニール樹脂の材質で形成されるので、該ケース本体５０のビニール樹脂面に広告文字等の印刷を正確に行うことが難しく、製造コストを増大してしまうという問題があった。
【０００４】
又、図４に示すように、従来の他のティシュペーパーケースは、矩形状のケース本体７０を有し、該ケース本体７０の側辺に開口７１が形成され、ティシュペーパー６０と、広告パターンが印刷されたペーパー（以下広告ペーパーという）８０が、該開口７１を通じて同時にケース本体７０の内部に挿入される。
【０００５】
しかし、前記開口７１に該開口７１を封止する構造を設けていないため、ティシュペーパー６０や広告ペーパー８０をケース本体７０から外側へ脱落する恐れがあった。
又、塵埃などの不潔なものが該開口７１からケース本体７０の内部に侵入すると共に、ティシュペーパー６０を汚染する恐れがあった。
【０００６】
又、図５に示すような他の従来のティシュペーパーケースでは、側辺に開口９１が形成されたケース本体９０を有し、該開口９１の一側に該開口９１を封止できる封止プレート９２が設けられ、該封止プレート９２の内側面には粘着部９３が設けられ、該プレート９２を折り曲げると、粘着部９３がケース本体９０に粘着して開口部を封止するようにしたものも知られている。
【０００７】
【考案の開示】
【考案が解決しようとする課題】
【０００８】
しかしながら、このような従来のティシュペーパーケースは、前記ケース本体９０における封止プレート９２に粘着部９３が設けられるため、製造コストが増大してしまうという問題があった。
【０００９】
そこで、案出されたのが本考案であって、特に製造コストを引き下げることが可能なティシュペーパーケースを提供することを目的としている。
【課題を解決するための手段】
【００１０】
本願の請求項１の考案は、短辺に熱接着の接着線が設けられると共に、長辺の長手方向に延在する割り線が設けられるビニール樹脂製の矩形状のケース本体と、前記ケース本体の内部に広告を記載したペーパーとティシュペーパーとを収容し、前記広告を記載したペーパーがティシュペーパーの外側を覆うようになっていることを特徴とするティシュペーパーケースを提供する。
【００１１】
本願の請求項２の考案は、前記割り線は、該ケース本体の長辺の上部に設けられることを特徴とする請求項１に記載のティシュペーパーケースを提供する。
【００１２】
本願の請求項３の考案は、前記広告を記載したペーパーの外側面が夫々ケース本体の正面側と背面側に配設されるようになっていることを特徴とする請求項１に記載のティシュペーパーケースを提供する。
【考案の効果】
【００１３】
本考案は上記の課題を解決するものであり、ケース本体に脆弱部となる割り線が設けられ、該ケース本体の内部にティシュペーパーと該ティシュペーパーを覆う広告を記載したペーパーが収容されることにより、ケース本体の上面に広告等の文字を印刷することを不要とし、且つ塵埃などの不潔なものをケース本体内に進入できないようにしたので、製造コストを下げたティシュペーパーケースを提供することができる。
【考案を実施するための最良の形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１５】
図１は本考案に係るティシュペーパーケースの一実施例を示す斜視図であり、図２は本考案に係るティシュペーパーケースの断面図である。
【００１６】
図１に示すように、本考案に係るティシュペーパーケースは、ビニール樹脂製の矩形状のケース本体１０を有し、該ケース本体１０の短辺に接着線１１が設けられ、該接着線１１に沿って熱接着することにより、ケース本体１０が形成され、該ケース本体１０の長辺の上部側に長手方向に延在する脆弱部となる割り線１３が設けられる。
【００１７】
前記ケース本体１０の内部には、広告宣伝文字などを記載したペーパー３０（以下広告ペーパーという）とティシュペーパー２０とが収容される。該広告ペーパー３０の外側面３１がケース本体１０の正面側１２に位置すると共に、広告ペーパー３０の外側面３２がケース本体１０の背面側に位置しており、該広告ペーパー３０がティシュペーパー２０の外側を覆うようにして、ティシュペーパー２０は位置づけられている。そして、前記外側面３１の幅寸法は割り線１３全長より短かく形成されている。
【００１８】
また、図２に示すように、本考案に係るティシュペーパーケースを使用する時には、前記ケース本体１０の割り線１３に沿って該ケース本体１０を破断することにより、ティシュペーパー２０をケース本体１０内から取り出すことができる。
【産業上の利用可能性】
【００１９】
本考案は上記の構成を有するので、ケース本体に脆弱部となる割り線が設けられ、該ケース本体の内部にティシュペーパーと該ティシュペーパーを覆う広告ペーパーが収容されることにより、ケース本体の上面に広告のパターンや文字の印刷を不要とし、製造コストを下げることができ、且つ塵埃などがケース本体内に進入できないので、ティッシュペーパーが清潔に保たれる。
【図面の簡単な説明】
【００２０】
【図１】本考案に係るティシュペーパーケースの一実施例を示す斜視図である。
【図２】本考案に係るティシュペーパーケースの拡大断面図である。
【図３】従来のティシュペーパーケースの斜視図である。
【図４】従来のティシュペーパーケースの斜視図である。
【図５】従来のティシュペーパーケースの斜視図である。
【符号の説明】
【００２１】
１０        ケース本体
１１        接着線
１２        正面
１３        割り線
２０        ティシュペーパー
３０        広告を印刷したペーパー（広告ペーパー）
３１        外側面
３２        外側面
５０        ケース本体
５１        開口
６０        ティシュペーパー
７０        ケース本体
７１        開口
８０        広告を印刷したペーパー（広告ペーパー）
９０        ケース本体
９１        開口
９２        封止プレート
９３        粘着部材
【図１】
0003114415.tif 000003
【図２】
0003114415.tif 000004
【図３】
0003114415.tif 000005
【図４】
0003114415.tif 000006
【図５】
0003114415.tif 000007